(57)【要約】【課題】カーナビゲーションや、車両の車種毎に作成される取扱説明書に記載された内容を、映像データや音声データの電子データに変換する。【解決手段】カーナビゲーションシステムを通信手段を介してホストコンピュータに接続し、購入したカーナビゲーションの操作説明書や、車両の車種および／またはグレード毎に作成された取扱説明書に記載されたマニュアル記載事項を、映像データと音声データとの電子データに変換したマニュアル対応ソフトウェアとして記憶させ、購入者端末を通信手段を介してホストコンピュータから、マニュアル対応ソフトウェアを、購入者のカーナビゲーションのＨＤＤやコンピュータ端末に接続されたＤＶＤ−ＲＯＭなどの記録媒体に転送して格納し、格納されたマニュアル対応ソフトウェアをカーナビゲーションにダウンロードすることにより、モニタ画面に表示されるようにした。【選択図】      図２
2004156995.tif 000002
【特許請求の範囲】
【請求項１】
記録媒体に格納された地図などの電子データと、衛星からの電波を受信した受信信号とに得られる位置情報を基に現在の自車位置を計算してモニタ画面に表示するカーナビゲーションシステムにおいて、このカーナビゲーションシステムを通信手段を介してホストコンピュータに接続し、このホストコンピュータに、購入者が購入したカーナビゲーションの操作説明書や、車両の車種および／またはグレード毎に作成された取扱説明書などに記載されたマニュアル記載事項を、映像データと音声データとの電子データに変換したマニュアル対応ソフトウェアとして記憶させ、購入者端末を前記通信手段を介して前記ホストコンピュータに接続することにより、前記マニュアル対応ソフトウェアを、前記購入者のカーナビゲーションのＨＤＤや購入者端末に接続されたＤＶＤ−ＲＯＭ、ＣＤ−ＲＯＭ、メモリカードなどの記録媒体に転送して格納し、この記録媒体に転送して格納された前記マニュアル対応ソフトウェアを前記カーナビゲーションにダウンロードすることにより、前記モニタ画面に表示されるようにしたことを特徴とするカーナビゲーションシステム。
【請求項２】
前記記録媒体に転送して格納される前記マニュアル対応ソフトウェアには、前記マニュアル記載事項に関する更新データを含むようにしたことを特徴とする請求項１記載のカーナビゲーションシステム。
【請求項３】
記録媒体に格納された地図などの電子データと、衛星からの電波を受信した受信信号とに得られる位置情報を基に現在の自車位置を計算してモニタ画面に表示されるようにしたカーナビゲーションシステム用記録媒体において、前記記録媒体として、車種および／またはグレード毎に作成された取扱説明書などのマニュアル記載事項を、映像データと音声データとの電子データに変換したマニュアル対応ソフトウェアとして格納し、前記モニタ画面に出力して映像と音声とにより表示させるように形成されていることを特徴とするカーナビゲーションシステム用記録媒体。
【請求項４】
前記記録媒体に格納される前記マニュアル対応ソフトウェアとして、タイヤ交換方法、オイル漏れ時の対応など車両緊急時の対応に関するマニュアル記載事項を、映像データと音声データとの電子データに変換して格納されたものを含むようにしたことを特徴とする請求項２記載のカーナビゲーションシステム用記録媒体。
【請求項５】
前記記録媒体に格納される前記マニュアル対応ソフトウェアに、車種および／またはグレード毎の対象車の特性の説明を記載した特性説明書を、映像データと音声データとの電子データに変換して格納されたものを含むようにしたことを特徴とする請求項３または４記載のカーナビゲーションシステム用記録媒体。
【請求項６】
前記記録媒体は、ＨＤＤ、ＤＶＤ−ＲＯＭ、メモリカード、あるいはＣＤ−ＲＯＭで形成されるものであることを特徴とする請求項３ないし請求項５のいずれか一項に記載のカーナビゲーションシステム用記録媒体。
【請求項７】
前記記録媒体に格納される前記マニュアル記載事項に関する電子データおよび／または前記特性説明書に関する電子データを、ネットワークを通じて配信して供給させるようにしたことを特徴とする請求項３ないし請求項６のいずれか一項に記載のカーナビゲーションシステム用記録媒体。
【発明の詳細な説明】
【０００１】
【発明の属する技術分野】
本発明は、カーナビゲーションシステムおよびカーナビゲーションシステム用記録媒体に関し、特に、カーナビゲーションの操作説明書や、車両の車種・グレード毎に作成される車両取扱説明といったマニュアルに記載された内容を、映像データや音声データの電子データに変換して、インターネットなどの通信手段を介して供給したり、カーナビゲーションシステム用記録媒体に格納することで、電子データ化されたマニュアル対応ソフトウェアをモニタ画面にビジュアル的に理解しやすいように表示するようにしたカーナビゲーションシステムおよびカーナビゲーションシステム用記録媒体に関するものである。
【０００２】
【従来の技術】カーナビゲーションシステムは、自車周辺の地図データを、ＣＤ−ＲＯＭやＤＶＤ−ＲＯＭといった記録媒体から読み出し、その地図データに基づいて作成した地図画像を、衛星からの電波で得られた自車位置を示すマークと共にモニタ画面に表示する。そして、かかるカーナビゲーションシステムは、近年、多機能化、多様化に伴ってそれが扱う電子データ量は、大容量化しつつあり、記録媒体もハードディスクドライブ（ＨＤＤ）が採用されている。そして、カーナビゲーションに必要な各種ナビゲーションデータ（例えば、地図データ、企業ランドマークや新たなドライブスポットなど）や、時々刻々変化する更新データなどを、インターネットを通じてホストコンピュータから取得したり、あるいは映画などのビデオソフトをも、インターネットを通じてダウンロードして取得することが行われつつある。
また、インターネットを通じてこれらのナビゲーションデータ（更新データも含む）を取得できるナビゲーションシステムとして、例えば、特開２００２−１０８６２０号公報が公知である。
【０００３】
ところで、カーナビゲーションシステムやそれを搭載する車両を購入すると、カーナビゲーションシステムの操作説明や車両の取扱説明を、文章や図面で記載されたマニュアル本の形態で同梱されてくる。購入者は、購入したカーナビゲーションシステムや車両の操作方法や取扱方法を理解する場合には、これらのマニュアル本を読んで理解しなければならないが、これらマニュアル本は、相当に分厚い頁数をなしているのが通常である。また、これらマニュアル本を、例えばＰＤＦ（Ｐｏｒｔａｂｌｅ  Ｄｏｃｕｍｅｍｅｎｔ  Ｆｏｒｍａｔ）といったファイル形式で電子データ化して、それをカーナビゲーションのモニタ画面に表示したりして見ることも可能である。
【０００４】
【発明が解決しようとする課題】
しかしながら、マニュアル本の形態で読んでいくには、多大の時間を要し、また、ＰＤＦという形態で画面表示させる場合でも、本来的には紙データという態様で表示されるものであるので、モニタ画面を見つめながら読みとっていく場合には、頁をスクロール操作して送りながら読んでいかなければならず、しかもモニタ画面が小さいため、視力に乏しい購入者の場合には、その表示される内容を読みとるのが困難であり、また視力を著しく低下させ、健康に支障を来す恐れも生じさせるという問題もある。
そこで、これらマニュアル本の内容を、電子化してビジュアル的に理解し易い映像と音声とにより形成される電子化されたデータに変換して記憶媒体に格納して、モニタ画面に表示させたり、インターネットなどのネットワークを通じて取得して表示させることが考えられるが、このような技術は上記した特開２００２−１０８６２０号公報には記載されておらず、また、その技術を示唆する記載もない。
【０００５】
本発明は、上記従来の問題点を解決するために案出されたもので、カーナビゲーションの操作説明書や、車両の車種・グレード毎に作成される車両取扱説明といったマニュアルに記載された内容を、映像データや音声データの電子データに変換してマニュアル対応ソフトウェアとしてホストコンピュータに記憶させ、インターネットなどの通信手段を介してマニュアル対応ソフトウェアを供給して、モニタ画面に映像で表示したりするカーナビゲーションシステム、およびマニュアル対応ソフトウェアを格納したカーナビゲーションシステム用記録媒体にを提供することを目的とするものである。
【０００６】
【課題を解決するための手段】
上記課題を解決するために、本発明においては次のような手段を講じることとした。すなわち、請求項１記載の発明においては、カーナビゲーションシステムであって、記録媒体に格納された地図などの電子データと、衛星からの電波を受信した受信信号とに得られる位置情報を基に現在の自車位置を計算してモニタ画面に表示するカーナビゲーションシステムにおいて、このカーナビゲーションシステムを通信手段を介してホストコンピュータに接続し、このホストコンピュータに、購入者が購入したカーナビゲーションの操作説明書や、車両の車種および／またはグレード毎に作成された取扱説明書などに記載されたマニュアル記載事項を、映像データと音声データとの電子データに変換したマニュアル対応ソフトウェアとして記憶させ、購入者端末を前記通信手段を介して前記ホストコンピュータに接続することにより、前記マニュアル対応ソフトウェアを、前記購入者のカーナビゲーションのＨＤＤやコンピュータ端末に接続されたＤＶＤ−ＲＯＭ、ＣＤ−ＲＯＭ、メモリカードなどの記録媒体に転送して格納し、この記録媒体に転送して格納された前記マニュアル対応ソフトウェアを前記カーナビゲーションにダウンロードすることにより、前記モニタ画面に表示されるようにしたことを特徴とする。
【０００７】
このような構成を採ることにより、本発明のものにおいては、ホストコンピュータにマニュアル対応ソフトウェアが記憶されているので、インターネットなどのネットワークを通じてホストコンピュータから購入者のカーナビゲーションのＨＤＤや、購入者のコンピュータ端末に接続されたＤＶＤ−ＲＯＭ、ＣＤ−ＲＯＭ、メモリカードなどの記録媒体に転送して格納される。格納されたマニュアル対応ソフトウェアは、カーナビゲーションにダウンロードされ、モニタ画面にマニュアル記載事項が、ビジュアル的に理解しやすい映像像や音声による映像として表示され、簡易にカーナビゲーションシステムの操作方法の説明や、車両の取り扱い説明の理解が容易となり、また、嵩張る紙媒体を車内に携行する必要もなくなる。
【０００８】
請求項２記載の発明は、請求項１記載のカーナビゲーションシステムにおいて、前記記録媒体に転送して格納される前記マニュアル対応ソフトウェアには、前記マニュアル記載事項に関する更新データを含むようにした構成を採ることとしたので、時々刻々変化するマニュアル対応ソフトウェアの更新データを、ネットワークを通じて簡便に取得することができ、便利となる。
【０００９】
請求項３記載の発明は、カーナビゲーションシステム用記録媒体であって、記録媒体に格納された地図などの電子データと、衛星からの電波を受信した受信信号とに得られる位置情報を基に現在の自車位置を計算してモニタ画面に表示するカーナビゲーションシステム用記録媒体において、前記記録媒体として、車種および／またはグレード毎に作成された取扱説明書などのマニュアル記載事項を、映像データと音声データとの電子データに変換したマニュアル対応ソフトウェアとして格納し、このマニュアル対応ソフトウェアをカーナビゲーションにダウンロードしたり、あるいは最初からハードディスクドライブにプリインストールした形態により、前記モニタ画面に出力して映像と音声とにより表示させるように形成されていることを特徴とする。
【００１０】
このような構成とすることで、本発明にあっては、旧態依然として残っていたカーナビゲーションシステムの操作説明書や、車両の車種あるいはグレード毎に作成されていた取扱説明書などを電子化して、マニュアル対応ソフトウェアとして記憶媒体に格納でき、この記録媒体をカーナビゲーションシステムにダウンロードすることで、これらの説明書をビジュアル的に理解しやすい映像と音声を利用した電子マニュアルへ変更し、その取り扱いが容易となる。
【００１１】
請求項４記載の発明は、請求項３記載のカーナビゲーションシステム用記録媒体に係り、前記記録媒体に格納される前記マニュアル対応ソフトウェアとして、タイヤ交換方法、オイル漏れ時の対応など車両緊急時の対応に関するマニュアル記載事項を、映像データと音声データとの電子データに変換して格納されたものを含むようにした構成を採ることとしたので、タイヤ交換方法、オイル漏れなどが発生するような車両の緊急事態時でも、記憶媒体に格納されたマニュアル対応ソフトウェアをダウンロードして、モニタ画面で表示して見ることで、容易にその緊急事態に対応して処置できて便利である。
【００１２】
請求項５および請求項６記載の発明は、カーナビゲーションシステム用記録媒体に係り、前記記録媒体に格納される前記マニュアル対応ソフトウェアに、車種および／またはグレード毎の対象車の特性の説明を記載した特性説明書を、映像データと音声データとの電子データに変換して格納されたものを含むようにした構成を採ることとしているので、車種および／またはグレード毎の対象車の特性を記載した特性説明書記載内容を、例えば、ＨＤＤ、ＤＶＤ−ＲＯＭ、メモリカード、あるいはＣＤ−ＲＯＭの形態で形成した記録媒体に格納でき、取り扱いが容易となり便利である。。
【００１３】
請求項７記載の発明は、請求項３ないし請求項６のいずれか一項に記載のカーナビゲーションシステム用記録媒体に係り、前記記録媒体に格納される前記マニュアル記載事項に関する電子データおよび／または前記特性説明書に関する電子データを、ネットワークを通じて取得するように構成されているので、これら電子データが更新された場合には、インターネットなどのネットワークを介して電子データを供給するサイトのホストコンピュータに接続することにより、容易に取得できて便利となる。
【００１４】
【発明の実施の形態】
本発明の実施の形態を、図１ないし図３に基づいて詳述する。なお、通常一般のカーナビゲーションシステムにおける自車位置をモニタ画面表示するシステムについては、例えば上記した特開２００２−１０８６２０号公報に記載されているので、その詳細説明は割愛することとする。まず、図１の電子マニュアルデータのスキーム構成図において、自動車メーカー１が、車両出荷時に、標準装備または純正品としてのカーナビゲーション装置を搭載した自動車を販売する場合に、同梱される電子マニュアルデータとしてのマニュアル対応ソフトウェアの作成およびその流れの概要を説明する。電子マニュアルデータとしては、カーナビゲーション装置に関する操作説明を記載した操作マニュアル、車種毎やグレード毎に応じた車両に関するマニュアル、車両緊急時におけるタイヤ交換方法やオイル漏れの対応処置方法を記載した緊急対応マニュアル、さらには車種毎やグレード毎の対象車の特性を説明する特性記載マニュアルなど（以下これらを「マニュアル」という）を映像化した電子マニュアルデータがある（以下これらをまとめて、「マニュアル対応ソフトウェア」ともいう）。このマニュアル対応ソフトウェアは、映像データ（動画データ）および音声データとにより、後で詳述するように、購入する車両に搭載されたカーナビゲーション装置のハードディスクドライブ（ＨＤＤ）や、購入者端末に接続されたＤＶＤ−ＲＯＭ、ＣＤ−ＲＯＭ、あるいは例えばＳＤメモリカードといったメモリカードなどの記録媒体（以下これらを「記録媒体」ともいう）に格納される。
【００１５】
また、この記録媒体の製作は、自動車メーカー１自体が自社製作する場合もあるし、図１に示すように、自動車メーカー１が映像製作会社２に外部委託して製作させたりする場合もある。そして、記録媒体は、その一部を、機器的に対応する製品を製作する社外品製作メーカー３に供給したりすることもあるものである。そして、これらの記録媒体に格納されるマニュアル対応ソフトウェア（電子マニュアルデータ）としては、車両購入後において更新されるマニュアルの更新データも含まれるもので、その更新データも上記と同様にして製作され、供給されるものである。
【００１６】
また、こうして製作されたマニュアル対応ソフトウェアは、ＨＤＤ、ＤＶＤ−ＲＯＭ、ＣＤ−ＲＯＭ、ＳＤメモリカードといった記録媒体、すなわち物理媒体の形態で販売されたり、あるいは、例えばインターネットのようなネットワークを経由して販売されたりするものである。すなわち、車両出荷時には、カーナビゲーション装置１（図２参照）が、標準装備または純正品である場合には、ＨＤＤ９ｆ（図２参照）にプレインストールされたり、ＤＶＤ−ＲＯＭ、ＣＤ−ＲＯＭの形態で供給される。また、車両購入後においては、カーナビゲーション装置１が社外品である場合には、ＤＶＤ−ＲＯＭやＣＤ−ＲＯＭなどの形態で供給されたり、ＳＤメモリカードなどの物理媒体の形態で供給される。
なお、上記マニュアル対応ソフトウェアが記憶される記録媒体は、車両購入時、や購入後を問わずに、本来のカーナビゲーションシステムに使用されるナビゲーションソフトウェアと物理的に一体に形成した形態であってもよく、また、個別に独立して形成した形態の記録媒体であってもよい。
【００１７】
次に、上記電子マニュアルデータ、つまりマニュアル対応ソフトウェアが供給されるシステム構成を、図２に基づいて詳述していく。すなわち、電子マニュアル供給会社サイト４には、ホストコンピュータ５が設置されている。このサイト４を運営する会社は、図１でみたように、例えば自動車メーカー１である原データ供給メーカー自体、または、自動車メーカー１からデータ供給を受けてデータを供給していく社外品製作メーカー３のようなデータ供給サービス事業者、あるいは原データ供給メーカーとデータ供給サービス事業者とが合体して運営される会社であってもよい。
【００１８】
上記ホストコンピュータ５は、ネットワークとして、例えばインターネット８に接続されるウェブサーバ５ａと、このウェブサーバ５ａに接続される動画データと音声データとで電子化されたマニュアル対応ソフトウェアを格納した電子マニュアルデータベース６と、原データ供給メーカーとデータ供給サービス事業者との間の決済を、例えば、従量課金で行うためのユーザー課金データベース７とからなっている。
【００１９】
ホストコンピュータ５のウェブサーバ５ａは、インターネット８を介して、車載されたＨＤＤ型のカーナビゲーション装置９に接続されている。
ＨＤＤ型カーナビゲーション装置９は、車内外に持ち運び自在な携行タイプのものでもよく、あるいは車内に固定したタイプのものでもよく、モニタ画面９ａと、ナビゲーションユニット本体９ｂとからなる。ナビゲーションユニット本体９ｂには、出荷時にマニュアル対応ソフトウェアをプリインストールされるＨＤＤ９ｆが収納されている。ユニット本体９ｂには、データ更新をする際に車両販売会社あるいはカーナビゲーション装置販売店の店頭で、更新用のＨＤＤを挿入してデータ更新を行う更新用ＨＤＤ挿入口９ｃ、ＤＶＤ−ＲＯＭ１２挿入用スロット９ｄ、ＳＤメモリカード１３挿入用スロット９ｅなどが設けられている。
【００２０】
また、更新データに関して、このＨＤＤ９ｆは、インターネット８を経由して電子マニュアル供給会社サイト４に接続されているとき、ウェブサーバ５ａに更新データを要求することで、電子マニュアルデータベース６から要求に応じた更新データが、ＨＤＤ９ｆに直接に、あるいは更新専用ＨＤＤを更新用ＨＤＤ挿入口９ｃに挿入してＨＤＤ９ｆに間接に転送することができるようにしている。もちろん、ＨＤＤ９ｆには、更新データだけでなく、ナビゲーションシステムを実行するプログラムや、上記したマニュアル対応ソフトウェアを、直接にウェブサーバ６ａから転送するように形成される態様のものでもよいことは言うまでもない。
【００２１】
また、物理媒体の販売経路としての一形態を形成する購入者端末１０は、インターネット８経由でホストコンピュータ５のウェブサーバ５ａに接続されていて、マニュアル対応ソフトウェアに関する更新データを転送したい場合には、ＤＶＤ−ＲＯＭ１２に格納し、それをナビゲーションユニット本体９ｂのＤＶＤ−ＲＯＭ挿入用スロット９ｅに挿入することでデータの更新が行われる。また、別の物理媒体の販売経路としての一形態を形成する購入者端末１１は、インターネット８を介してホストコンピュータ５に接続されており、そのウェブサーバ５ａにアクセルすることにより、ＳＤメモリカード１３に更新データをダウンロードすることができる。更新データを格納されたＳＤメモリカード１３は、ＳＤメモリカード用スロット９ｄに挿入してダウンロードされることで、マニュアル対応ソフトウェアについて、データの更新を行うことが可能となるものである。もちろん、ＤＶＤ−ＲＯＭ１２やＳＤメモリカード１３に、更新データだけでなく、マニュアル対応ソフトウェアそのものを、格納した態様であってもよいものである。
【００２２】
上記では、ナビゲーション装置９や購入者端末１０，１１により、インターネット８を経由してマニュアル対応ソフトウェアや、その更新データを販売するルートであったが、図２に示すように、ＤＶＤ型ナビゲーション装置１４の場合には、記憶媒体はＤＶＤ−ＲＯＭ１５に、マニュアル対応ソフトウェアや、その更新データを格納して販売する形態にすることも可能である。もちろん、このＤＶＤ−ＲＯＭ１５は、ＤＶＤ型ナビゲーション装置１４の挿入スロット１４ａだけでなく、上記したＨＤＤ型ナビゲーション装置９のＤＶＤ−ＲＯＭ用挿入スロット９ｅに挿入して使用することも可能なように形成されている。
【００２３】
本実施の形態による更新電子マニュアルデータ、すなわちマニュアル対応ソフトウェアに関する更新データを購入する場合についての流れを、図３に基づいて説明する。まず、車両購入者が、車両購入後において、更新データを更新しようとするとき、購入者端末１０または１１から、インターネット８を通じて、電子マニュアル供給サイトにアクセスする（ステップＳ１）。すると、ウェブサーバ５ａから電子マニュアル供給サイトのトップページが端末画面に表示される（ステップＳ２）。購入者は画面に表示されたメニュー画面から、希望する更新データを購入するに必要な購入代金を入金するための課金画面を要求する（ステップＳ３）。ウェブサーバ５ａから課金画面が送信され（ステップＳ４）、購入者は自己のＩＤ、名前などのデータを課金画面に入力し（ステップＳ５）、所定の代金を金融機関、あるいは電子決済の手段を介して送金する（ステップＳ６）。電子マニュアル供給サイトは、入金されたことを確認し、入金確認通知を送信する（ステップＳ７）。これらの送受信データは、ユーザ課金データベース７に記録されていく。そして、更新電子マニュアルデータ、すなわちマニュアル対応ソフトウェアに関する更新データは、インターネット８を介して購入者端末１０あるいは１１に転送される（ステップＳ８）。転送された更新データは、ＤＶＤ−ＲＯＭ１２（場合によっては、ＣＤ−ＲＯＭでもよい）やＳＤメモリカード１３に記録して格納されることとなる。
【００２４】
従って、上記で更新データを取得したＤＶＤ−ＲＯＭ１２やＳＤメモリカード１３は、ＨＤＤ型カーナビゲーション装置９の本体９ｂにあるＤＶＤ−ＲＯＭ１２挿入用スロット９ｄやＳＤメモリカード１３挿入用スロット９ｅに適宜挿入して、ＨＤＤ９ｆにダウンロードする。こうして、ＨＤＤ９ｆに、更新データが格納され、更新マニュアルの記載内容をモニタ画面９ａで映像と音声とにより視聴することができることになる。もちろん、更新データは、ＤＶＤ−ＲＯＭ１２のドライブを駆動することにより視聴できる態様でもよい。
【００２５】
本実施の形態によれば、新車購入時には、標準装備されたカーナビゲーション装置９に搭載されたＨＤＤ９ｆに、マニュアルの内容が映像や音声による電子データでプリインストールされているため、カーナビゲーション装置９のモニタ画面９ａで、カーナビゲーション装置９の操作方法や、車両の取り扱い方法、緊急事態発生時の対処方法、車両の販売促進情報に関するプロモーションビデオの映像を視聴できることとなるので、ビジュアル的に理解しやすくなり、便利となる。もちろん、マニュアル対応ソフトウェアをＤＶＤ−ＲＯＭやＣＤ−ＲＯＭの形態である場合には、ＤＶＤ−ＲＯＭ１２挿入用スロット９ｄに挿入してＤＶＤドライブを駆動して視聴することができる。
【００２６】
ハードディスク型のカーナビゲーション装置９以外の、ＤＶＤ型のカーナビゲーション装置１４の場合には、ＤＶＤ型ナビゲーション装置１４の挿入スロット１４ａに、マニュアル対応ソフトウェアを格納したＤＶＤ−ＲＯＭ１５を挿入することで視聴できる。
【００２７】
更新データの場合には、インターネット８を通じてウェブサーバ５ａからＤＶＤ−ＲＯＭ１２，ＳＤメモリカード１３に記録して取得した更新データをＨＤＤ型ナビゲーション装置９にダウンロードしたり、ＨＤＤ９ｆに直接にインターネット８を経由してダウンロードしたり、あるいは販売店店頭で更新専用のＨＤＤを更新用ＨＤＤ挿入口９ｃにセットすることにより取得することができる。なお、これらの更新データを郵送によって取得することも可能である。
【００２８】
【発明の効果】
請求項１記載の発明によれば、インターネットなどのネットワークを通じてホストコンピュータから購入者のカーナビゲーションのＨＤＤや、購入者のコンピュータ端末に接続されたＤＶＤ−ＲＯＭ、ＣＤ−ＲＯＭ、メモリカードなどの記録媒体に転送して格納される。格納されたマニュアル対応ソフトウェアは、カーナビゲーションにダウンロードされ、モニタ画面にマニュアル記載事項が、ビジュアル的に理解しやすい映像像や音声による映像として表示され、簡易にカーナビゲーションシステムの操作方法の説明や、車両の取り扱い説明の理解が容易となり、また、嵩張る紙媒体を車内に携行する必要もなくなるなどの効果を奏する。
【００２９】
請求項２記載の発明によれば、記録媒体に転送して格納される前記マニュアル対応ソフトウェアには、マニュアル記載事項に関する更新データを含むようにした構成を採ることとしたので、時々刻々変化するマニュアル対応ソフトウェアの更新データを、ネットワークを通じて簡便に取得することができ便利となる。
【００３０】
請求項３記載の発明によれば、旧態依然として残っていたカーナビゲーションシステムの操作説明書や、車両の車種あるいはグレード毎に作成されていた取扱説明書などを電子化して、マニュアル対応ソフトウェアとして記憶媒体に格納でき、この記録媒体をカーナビゲーションシステムにダウンロードすることで、あるいは、ＨＤＤにプリインストールされたマニュアル対応ソフトウェアにより、これらの説明書をビジュアル的に理解しやすい映像と音声を利用した電子マニュアルへ変更し、その取り扱いが容易となるなどの効果を奏する。
【００３１】
請求項４記載の発明によれば、タイヤ交換方法、オイル漏れなどが発生するような車両の緊急事態時でも、記憶媒体に格納されたマニュアル対応ソフトウェアをダウンロードして、モニタ画面で表示して見ることにより、容易にその緊急事態に対応して処置できて便利となる効果がある。
【００３２】
請求項５および請求項６記載の発明によれば、記録媒体に格納される前記マニュアル対応ソフトウェアに、車種および／またはグレード毎の対象車の特性の説明を記載した特性説明書を、映像データと音声データとの電子データに変換して格納されたものを含むようにした構成を採ることとしているので、車種および／またはグレード毎の対象車の特性を記載した特性説明書記載内容を、例えば、ＨＤＤ、ＤＶＤ−ＲＯＭ、メモリカード、あるいはＣＤ−ＲＯＭの形態で形成した記録媒体に格納でき、取り扱いが容易となり便利となる効果がある。
【００３３】
請求項７記載の発明によれば、記録媒体に格納される前記マニュアル記載事項に関する電子データおよび／または前記特性説明書に関する電子データを、ネットワークを通じて取得するように構成されているため、これら電子データが更新された場合には、インターネットなどのネットワークを介して電子データを供給するサイトのホストコンピュータに接続することにより、容易に取得できて便利となる。
【図面の簡単な説明】
【図１】本発明の実施の形態係る電子マニュアルデータのスキーム構成図である。
【図２】上記実施の形態の電子マニュアルデータの供給システム図である。
【図３】更新電子マニュアルデータの購入フロー図である。
【符号の説明】
１…自動車メーカー
２…映像製作会社
３…社外品製作メーカー
４…電子マニュアル供給会社サイト
５…ホストコンピュータ
５ａ…ウェブサーバ
６…電子マニュアルデータベース
７…ユーザ課金データベース
８…インターネット
９…ＨＤＤ型ナビゲーション装置
９ａ…モニタ画面
９ｂ…ナビゲーションユニット本体
９ｃ…更新用ＨＤＤ挿入口９ｃ
９ｄ…ＤＶＤ−ＲＯＭ１２挿入用スロット
９ｅ…ＳＤメモリカード１３挿入用スロット
９ｆ…ＨＤＤ
１０…購入者端末
１１…購入者端末
１２…ＤＶＤ−ＲＯＭ
１３…ＳＤメモリカード
１４…ＤＶＤ型ナビゲーション装置１４
１５…ＤＶＤ−ＲＯＭ
【図１】
2004156995.tif 000003
【図２】
2004156995.tif 000004
【図３】
2004156995.tif 000005